(57)【特許請求の範囲】
【請求項１】
アイロン部と、このアイロン部を載置する商用電源を有したスタンド部とからなり、前記アイロン部は、ベース部と、このベース部を加熱するヒータ部と、前記ベース部の温度を検知する温度検知部と、前記ヒータ部に接続した電極部とを備え、前記スタンド部は、前記ヒータ部への通電を制御するヒータ制御部と、前記アイロン部に設けた電極部と接続する電極部と、前記スタンド部に設けた電極部よりも先に前記アイロン部と接触する接触部と、この接触部の出力を入力し前記アイロン部に帯電した静電気を検知する静電気検知部と、この静電気検知部の出力を入力してその静電気の大きさから布種を判定する布種判定部と、この布種判定部と前記アイロン部からの温度信号を入力し前記ヒータ制御部を制御する制御部とを備え、この制御部は、前記布種判定部の出力に基づいて温度設定を自動で行うようにしたコードレスアイロン。
【請求項２】
温度を表示する表示部を備え、制御部は、布種判定部の出力に基づいて温度設定をしたとき、設定した温度を前記表示部に表示するようにした請求項１記載のコードレスアイロン。
【請求項３】
設定温度を固定する設定温度固定部を備え、制御部は、前記設定温度固定部の出力により、布種判定部の出力に関係なく設定温度を固定するようにした請求項１記載のコードレスアイロン。
【請求項４】
設定温度固定部で固定した設定温度をリセットするリセット部を備え、制御部は、前記リセット部の出力により、固定した設定温度を解除するようにした請求項３記載のコードレスアイロン。
【請求項５】
制御部は、アイロン掛け開始時やリセット部により温度設定を解除した場合、設定温度を『低』にして布種を判定するようにした請求項１〜４のいずれか１項に記載のコードレスアイロン。
【請求項６】
ベース部の温度を任意に設定する温度設定部を備え、制御部は、布種判定部の出力に基づいて設定した温度を前記温度設定部で設定した温度より優先して、設定を変更するようにした請求項１〜５のいずれか１項に記載のコードレスアイロン。
【請求項７】
アイロン部のアイロン掛けの状態を検知する状態検知部を備え、制御部は、布種判定部と前記状態検知部の出力をもとに布種を判定するようにした請求項１〜６のいずれか１項に記載のコードレスアイロン。
【請求項８】
室内の湿度を検知する湿度検知部を備え、布種判定部は静電気検知部と前記湿度検知部の出力をもとに布種を判定するようにした請求項１〜７のいずれか１項に記載のコードレスアイロン。
【発明の詳細な説明】
【０００１】
【発明の属する技術分野】
本発明は、衣類などのしわ伸ばしを行うコードレスアイロンに関するものである。
【０００２】
【従来の技術】
従来、この種のコードレスアイロンは図１０および図１１に示すような構成が一般的であった。以下、その構成について説明する。
【０００３】
図に示すように、アイロン部１は、ヒータ部２によって加熱されるベース部３を有しており、後部に電極部Ｐ１、Ｐ２、Ｐ３を突出している。商用電源４を有するスタンド部５は、アイロン部１に設けた電極部Ｐ１、Ｐ２、Ｐ３と接触する電極部Ｐ４、Ｐ５、Ｐ６を有している。
【０００４】
アイロン部１は、スタンド部２に載置されたとき、アイロン部１に設けた電極部Ｐ１、Ｐ２と、スタンド部５に設けた電極部Ｐ４、Ｐ５を介してスタンド部５に設けた商用電源４に接続され、ヒータ部２に商用電源４から電力が供給されてベース部３を加熱する。
【０００５】
そして、ベース部３の温度を温度検知部６で検知して、その検知温度信号を電極部Ｐ３、Ｐ６を介して制御部７に送り、制御部７は、送られてきた温度信号が温度設定部８で設定した設定温度に対して高いか低いかを判定し、その結果をヒータ部制御部９に出力する。ヒータ部制御部９はヒータ部２への電力供給を制御することにより、ベース部３の温度を一定に制御する。
【０００６】
このようなアイロンでは、アイロン掛けを行った場合、多くの静電気がアイロン部１に帯電する。この状態でアイロン部１をスタンド部５に載置すると、静電気が電極部Ｐ３、Ｐ６を介してスタンド部５に侵入し、制御部７を破壊するという問題があった。
【０００７】
発明者らは、その解決策として、アイロン部に帯電した静電気が電極部を介してスタンド部に侵入する前に放電し、アイロン部に静電気が帯電した場合でも、スタンド部に設けた制御回路を破壊することのないようにしたアイロンを提案している。
【０００８】
【発明が解決しようとする課題】
発明者らが提案しているアイロンでは、アイロン部に帯電した静電気によってスタンド部に設けた制御回路が破壊しないようにできるが、アイロン部に帯電する静電気は、アイロン掛けする衣類の種類、湿り具合、アイロン掛けするときのアイロン部の移動速度等によって異なり、静電気を積極的に利用するものではなかった。
【０００９】
本発明は上記課題を解決するもので、アイロン掛けするときアイロン部に帯電する静電気を検知して布種を判定し、布種にあった温度に自動的に設定し、使い勝手を向上することを目的としている。
【００１０】
【課題を解決するための手段】
本発明のコードレスアイロンにおいては、アイロン部と、このアイロン部を載置する商用電源を有したスタンド部とからなり、前記アイロン部は、ベース部と、このベース部を加熱するヒータ部と、前記ベース部の温度を検知する温度検知部と、前記ヒータ部に接続した電極部とを備え、前記スタンド部は、前記ヒータ部への通電を制御するヒータ制御部と、前記アイロン部に設けた電極部と接続する電極部と、前記スタンド部に設けた電極部よりも先に前記アイロン部と接触する接触部と、この接触部の出力を入力し前記アイロン部に帯電した静電気を検知する静電気検知部と、この静電気検知部の出力を入力してその静電気の大きさから布種を判定する布種判定部と、この布種判定部と前記アイロン部からの温度信号を入力し前記ヒータ制御部を制御する制御部とを備え、この制御部は、前記布種判定部の出力に基づいて温度設定を自動で行うようにしたものである。
【００１１】
これにより、アイロン掛けするときアイロン部に帯電する静電気を検知して布種を判定し、布種にあった温度に自動的に設定することができ、使い勝手を向上することができる。
【００１２】
【発明の実施の形態】
本発明の請求項１に記載の発明は、アイロン部と、このアイロン部を載置する商用電源を有したスタンド部とからなり、前記アイロン部は、ベース部と、このベース部を加熱するヒータ部と、前記ベース部の温度を検知する温度検知部と、前記ヒータ部に接続した電極部とを備え、前記スタンド部は、前記ヒータ部への通電を制御するヒータ制御部と、前記アイロン部に設けた電極部と接続する電極部と、前記スタンド部に設けた電極部よりも先に前記アイロン部と接触する接触部と、この接触部の出力を入力し前記アイロン部に帯電した静電気を検知する静電気検知部と、この静電気検知部の出力を入力してその静電気の大きさから布種を判定する布種判定部と、この布種判定部と前記アイロン部からの温度信号を入力し前記ヒータ制御部を制御する制御部とを備え、この制御部は、前記布種判定部の出力に基づいて温度設定を自動で行うようにしたものであり、布種判定部は静電気の大きさで布種を判定するので、制御部は、布種に適した設定温度に制御することができる。
【００１３】
請求項２に記載の発明は、上記請求項１に記載の発明に加えて、温度を表示する表示部を備え、制御部は、布種判定部の出力に基づいて温度設定をしたとき、設定した温度を前記表示部に表示するようにしたものであり、使用者に布種によって設定した温度を知らせるすることができる。
【００１４】
請求項３に記載の発明は、上記請求項１に記載の発明に加えて、設定温度を固定する設定温度固定部を備え、制御部は、前記設定温度固定部の出力により、布種判定部の出力に関係なく設定温度を固定するようにしたものであり、同じ衣類をアイロン掛けするときは設定温度を変えないようにすることができる。
【００１５】
請求項４に記載の発明は、上記請求項３に記載の発明に加えて、設定温度固定部で固定した設定温度をリセットするリセット部を備え、制御部は、前記リセット部の出力により、固定した設定温度を解除するようにしたものであり、衣類を変えるときは布種判定を行うようにすることができる。
【００１６】
請求項５に記載の発明は、上記請求項１〜４に記載の発明において、制御部は、アイロン掛け開始時やリセット部により温度設定を解除した場合、設定温度を『低』にして布種を判定するようにしたものであり、衣類がどのような生地でも傷めることがなく、また、ベース部の温度を『低』から『高』に上げるのは短時間ですむ。
【００１７】
請求項６に記載の発明は、上記請求項１〜５に記載の発明に加えて、ベース部の温度を任意に設定する温度設定部を備え、制御部は、布種判定部の出力に基づいて設定した温度を前記温度設定部で設定した温度より優先して、設定を変更するようにしたものであり、使用者が布種に応じて適切な温度を設定していないとき、適切な温度に訂正することができる。
【００１８】
請求項７に記載の発明は、上記請求項１〜６に記載の発明に加えて、アイロン部のアイロン掛けの状態を検知する状態検知部を備え、制御部は、布種判定部と前記状態検知部の出力をもとに布種を判定するようにしたものであり、静電気の大きさと、アイロン掛けの状態、たとえば衣類上をアイロン部がどれだけ往復したかの２つの情報をもとに布種を判定するので、精度よく布種判定を行うことができる。
【００１９】
請求項８に記載の発明は、上記請求項１〜７に記載の発明に加えて、室内の湿度を検知する湿度検知部を備え、布種判定部は静電気検知部と前記湿度検知部の出力をもとに布種を判定するようにしたものであり、静電気の大きさと、室内の湿度の２つの情報をもとに布種を判定するので、精度よく布種判定をすることができる。
【００２０】
以下、本発明の実施の形態について、図面を参照しながら説明する。なお、従来例と同じ構成のものは同一符号を付して説明を省略する。
【００２１】
（実施の形態１）
図１および図２に示すように、アイロン部１は、ヒータ部２によって加熱される金属製のベース部３を有しており、後部に電極部Ｐ１、Ｐ２、Ｐ３を突出している。商用電源４を有するスタンド部１０は、アイロン部１に設けた電極部Ｐ１、Ｐ２、Ｐ３と接触する電極部Ｐ４、Ｐ５、Ｐ６を有している。
【００２２】
ローラー部１１は、アイロン部１のベース部３を支持するもので、スタンド部１０の上面に回転自在に設けている。接触部１２は、アイロン部１をスタンド部１０に載置したときに、電極部Ｐ１、Ｐ２、Ｐ３が電極部Ｐ４、Ｐ５、Ｐ６に接触するよりも先にアイロン部１と接触する位置に設け、この接触部１２を静電気検知部１３に接続している。
【００２３】
静電気検知部１３は、抵抗と電圧検知部とで構成し、抵抗を流れる静電気の放電電流を電圧検知部により検知し、アイロン部１に帯電した静電気を検知するようにしている。布種判定部１４は、アイロン部１に帯電した静電気の大きさをもとに布種を判定するものである。制御部１５は、布種判定部１４の出力に基づいてベース部３の温度設定を自動で行うようにしている。
【００２４】
上記構成において動作を説明すると、通常、アイロン部１をスタンド部１０に載置する場合、最初に、アイロン部１のベース部３とスタンド部１０に設けたローラー部１１が接触し、ローラー部１１を回転させながらアイロン部１を下方に移動させると、アイロン部１に設けた電極部Ｐ１、Ｐ２、Ｐ３と、スタンド部１０に設けた電極部Ｐ４、Ｐ５、Ｐ６が接触して載置が完了となる。
【００２５】
アイロン掛けを行ってアイロン部１に静電気が帯電した状態で、アイロン部１をスタンド部１０に載置すると、アイロン部１のベース部３に帯電した静電気は、接触部１２、静電気検知部１３を通って商用電源４へと放電する。
【００２６】
そして、静電気検知部１３では、検知した静電気の大きさを布種判定部１４に出力する。布種判定部１４は検知した静電気の大きさによって布種を判定し、制御部１５は、布種判定部１４の出力を入力し、判定した布種に最適な温度をベース部３が保つようにヒータ制御部９を制御する。
【００２７】
したがって、アイロン掛けする布種に応じてベース部３の温度を設定する必要がなく、使い勝手を向上することができる。
【００２８】
（実施の形態２）
図３に示すように、スタンド部１６は、温度を表示する表示部１７を備え、制御部１８は、布種判定部１４の出力に基づいて温度設定をしたとき、設定した温度を表示部１７に表示するようにしている。他の構成は上記実施の形態１と同じである。
【００２９】
上記構成において動作を説明すると、制御部１８は、布種判定部１４の出力を入力して布種に最適な温度が『高』と判断した場合、ベース部３が『高』の温度を保つようにヒータ制御部９を制御すると同時に、表示部１７に『高』を表示する。したがって、布種によって設定した温度を知らせるすることができる。
【００３０】
（実施の形態３）
図４に示すように、スタンド部１９は、設定温度を固定する設定温度固定部２０と、設定温度固定部２０で固定した設定温度をリセットするリセット部２１を設けている。
【００３１】
制御部２２は、設定温度固定部２０の出力により、布種判定部１４の出力に関係なく設定温度を固定するとともに、リセット部２１の出力により、固定した設定温度を解除するようにし、さらに、アイロン掛け開始時やリセット部２１により温度設定を解除した場合、設定温度を『低』にして布種を判定するようにしている。他の構成は上記実施の形態１と同じである。
【００３２】
上記構成において動作を説明すると、電源を投入して最初にアイロン掛けをする場合、設定温度を『低』にする。この状態でアイロン掛けを行い、アイロン部１に静電気が帯電した状態で、アイロン部１がスタンド部１９に載置されることで制御部２２は、布種判定部１４の出力を入力して布種に最適な温度が『高』と判断した場合、ベース部３が『高』の温度を保つようにヒータ制御部９を制御する。
【００３３】
使用者は、設定温度固定部２０をオンさせてその衣類のアイロン掛けが終わるまでは温度設定が変わらないようにする。そして、その衣類のアイロン掛けが終わるとリセット部２１をオンにして布種判定部１４を動作させるようにする。
【００３４】
したがって、同じ衣類をアイロン掛けするときは設定温度を変えないようにすることができ、衣類を変えるときは布種判定を行うようにすることができる。また、衣類がどのような生地でも傷めることがなく、また、ベース部の温度を『低』から『高』に上げるのは短時間ですむ。
【００３５】
（実施の形態４）
図５に示すように、スタンド部２３は、ベース部３の温度を任意に設定する温度設定部２４を備え、制御部２５は、布種判定部１４の出力に基づいて設定した温度を温度設定部２４で設定した温度より優先して、設定を変更するようにしている。他の構成は上記実施の形態１と同じである。
【００３６】
上記構成において動作を説明すると、使用者が温度設定部２４により設定温度を『中』にした状態でアイロン掛けを行い、アイロン部１に静電気が帯電した状態で、アイロン部１をスタンド部２３に載置する。制御部２５は、布種判定部１４の出力を入力して布種に最適な温度が『高』と判断した場合、使用者が設定した温度を訂正して、ベース部３が『高』の温度を保つようにヒータ制御部９を制御する。
【００３７】
したがって、使用者が布種に応じて適切な温度を設定していないとき、適切な温度に訂正することができる。
【００３８】
（実施の形態５）
図６に示すように、アイロン部２６は、アイロン掛けの状態を検知する状態検知部２７を備え、制御部２８は、布種判定部１４と状態検知部２７の出力をもとに布種を判定するようにしている。
【００３９】
状態検知部２７を図７および図８を参照しながら説明すると、図７（ａ）に示すように、状態検知部２７は樹脂で形成したカバー２９と、アルミナ、鋼などで形成した球３０とで構成しており、カバー２９の内部には球３０が自由に転がるための傾斜を設けてあり、傾斜の下部には穴３１を設けている。
【００４０】
穴３１の真下にはホトセンサ３２を取り付けている。ホトセンサ３２は、図８に示すように、発光素子３３と受光素子３４を同一の方向に併置した構成で、球３０からの反射光を検出するものである。
【００４１】
図７（ａ）に示すように、球３０がカバー２９に設けた傾斜の下部にある場合は、発光素子３３が赤外線を照射すると、赤外線は穴３１を通過して球３０で反射し、反射光は受光素子３４で受光される。
【００４２】
また、図７（ｂ）に示すように、球３０が傾斜の上部にある場合は、発光素子３３が赤外線を照射してもカバー２９の内側を乱反射するだけで、受光素子３４にはほとんど受光されない。
【００４３】
使用者がアイロン掛けを行っているときは、アイロン部２６を前後に動かすので図７（ａ）と図７（ｂ）の状態が繰り返して起こるので、これをもとにアイロン部２６を衣類上をどれぐらい動かしたかを検知することができる。
【００４４】
上記構成において動作を説明すると、アイロン掛けを行ってアイロン部２６に静電気が帯電した状態で、アイロン部２６をスタンド部３５に載置すると、アイロン部２６のベース部３に帯電した静電気は、接触部１２、静電気検知部１３を通って商用電源４へと放電する。
【００４５】
そして、静電気検知部１３では、検知した静電気の大きさを布種判定部１４に出力する。制御部２８は、布種判定部１４の出力とアイロン部２６からの温度信号および状態検知信号を入力し、これらの情報をもとに布種を判定し、その布種に最適な温度をベース部３が保つようにヒータ制御部９を制御する。
【００４６】
したがって、静電気の大きさと、アイロン掛けの状態、たとえば衣類上をアイロン部がどれだけ往復したかの２つの情報をもとに布種を判定するので、精度よく布種判定を行うことができる。
【００４７】
（実施の形態６）
図９に示すように、スタンド部３６は、室内の湿度を検知する湿度検知部３７を備え、布種判定部３８は静電気検知部１３と湿度検知部３７の出力をもとに布種を判定するようにしている。他の構成は上記実施の形態１と同じである。
【００４８】
上記構成において動作を説明すると、アイロン掛けを行ってアイロン部１に静電気が帯電した状態で、アイロン部１をスタンド部３６に載置すると、アイロン部１のベース部３に帯電した静電気は、接触部１２、静電気検知部１３を通って商用電源４へと放電する。そして、静電気検知部１３では、検知した静電気の大きさを布種判定部３８に出力する。
【００４９】
布種判定部３８では、静電気検知部１３と湿度検知部３７の出力を入力して、静電気の大きさと部屋の湿度から布種を判定する。制御部１５は、布種判定部３８の出力を入力し、その布種に最適な温度をベース部３が保つようにヒータ制御部９を制御する。
【００５０】
したがって、静電気の大きさと、室内の湿度の２つの情報をもとに布種を判定するので、精度よく布種判定をすることができる。
【００５１】
【発明の効果】
以上にように本発明の請求項１に記載の発明によれば、アイロン部と、このアイロン部を載置する商用電源を有したスタンド部とからなり、前記アイロン部は、ベース部と、このベース部を加熱するヒータ部と、前記ベース部の温度を検知する温度検知部と、前記ヒータ部に接続した電極部とを備え、前記スタンド部は、前記ヒータ部への通電を制御するヒータ制御部と、前記アイロン部に設けた電極部と接続する電極部と、前記スタンド部に設けた電極部よりも先に前記アイロン部と接触する接触部と、この接触部の出力を入力し前記アイロン部に帯電した静電気を検知する静電気検知部と、この静電気検知部の出力を入力してその静電気の大きさから布種を判定する布種判定部と、この布種判定部と前記アイロン部からの温度信号を入力し前記ヒータ制御部を制御する制御部とを備え、この制御部は、前記布種判定部の出力に基づいて温度設定を自動で行うようにしたから、布種判定部は静電気の大きさで布種を判定するので、制御部は、布種に適した設定温度に制御することができる。
【００５２】
また、請求項２に記載の発明によれば、温度を表示する表示部を備え、制御部は、布種判定部の出力に基づいて温度設定をしたとき、設定した温度を前記表示部に表示するようにしたから、使用者に布種によって設定した温度を知らせるすることができる。
【００５３】
また、請求項３に記載の発明によれば、設定温度を固定する設定温度固定部を備え、制御部は、前記設定温度固定部の出力により、布種判定部の出力に関係なく設定温度を固定するようにしたから、同じ衣類をアイロン掛けするときは設定温度を変えないようにすることができる。
【００５４】
また、請求項４に記載の発明によれば、設定温度固定部で固定した設定温度をリセットするリセット部を備え、制御部は、前記リセット部の出力により、固定した設定温度を解除するようにしたから、衣類を変えるときは布種判定を行うようにすることができる。
【００５５】
また、請求項５に記載の発明によれば、制御部は、アイロン掛け開始時やリセット部により温度設定を解除した場合、設定温度を『低』にして布種を判定するようにしたから、衣類がどのような生地でも傷めることがなく、また、ベース部の温度を『低』から『高』に上げるのは短時間ですむ。
【００５６】
また、請求項６に記載の発明によれば、ベース部の温度を任意に設定する温度設定部を備え、制御部は、布種判定部の出力に基づいて設定した温度を前記温度設定部で設定した温度より優先して、設定を変更するようにしたから、使用者が布種に応じて適切な温度を設定していないとき、適切な温度に訂正することができる。
【００５７】
また、請求項７に記載の発明によれば、アイロン部のアイロン掛けの状態を検知する状態検知部を備え、制御部は、布種判定部と前記状態検知部の出力をもとに布種を判定するようにしたから、静電気の大きさと、アイロン掛けの状態、たとえば衣類上をアイロン部がどれだけ往復したかの２つの情報をもとに布種を判定するので、精度よく布種判定を行うことができる。
【００５８】
また、請求項８に記載の発明によれば、室内の湿度を検知する湿度検知部を備え、布種判定部は静電気検知部と前記湿度検知部の出力をもとに布種を判定するようにしたものであり、静電気の大きさと、室内の湿度の２つの情報をもとに布種を判定するので、精度よく布種判定をすることができる。
【図面の簡単な説明】
【図１】本発明の第１の実施の形態のコードレスアイロンのブロック回路図
【図２】同コードレスアイロンの一部切欠した側面図
【図３】本発明の第２の実施の形態のコードレスアイロンのブロック回路図
【図４】本発明の第３の実施の形態のコードレスアイロンのブロック回路図
【図５】本発明の第４の実施の形態のコードレスアイロンのブロック回路図
【図６】本発明の第５の実施の形態のコードレスアイロンのブロック回路図
【図７】（ａ）同コードレスアイロンの状態検知部の動作状態を示す断面図
（ｂ）同コードレスアイロンの状態検知部の動作状態を示す断面図
【図８】同コードレスアイロンの状態検知部に用いるホトセンサの構成図
【図９】本発明の第６の実施の形態のコードレスアイロンのブロック回路図
【図１０】従来のコードレスアイロンの斜視図
【図１１】同コードレスアイロンのブロック回路図
【符号の説明】
１  アイロン部
２  ヒータ部
３  ベース部
４  商用電源
６  温度検知部
９  ヒータ制御部
１０  スタンド部
１２  接触部
１３  静電気検知部
１４  布種判定部
１５  制御部
Ｐ１  電極部
Ｐ２  電極部
Ｐ３  電極部
Ｐ４  電極部
Ｐ５  電極部
Ｐ６  電極部
【図１】
0003694955.tif 000002
【図２】
0003694955.tif 000003
【図３】
0003694955.tif 000004
【図４】
0003694955.tif 000005
【図５】
0003694955.tif 000006
【図６】
0003694955.tif 000007
【図７】
0003694955.tif 000008
【図８】
0003694955.tif 000009
【図９】
0003694955.tif 000010
【図１０】
0003694955.tif 000011
【図１１】
0003694955.tif 000012